(57)【要約】【課題】建材同士の縦継目が柱スパン間に位置する場合であっても両建材に跨がって配置され、しかも該建材の横ズレを防止することができる建材の取付金具及び取付構造を提供する。【解決手段】取付金具１は、取付金具本体１０と当て金具３０とからなる。取付金具本体１０は、長さが２５０〜５００ｍｍ好ましくは３００〜５００ｍｍの横長部材である。取付金具本体１０の下半側には、当て金具３０の係着用開口１４が複数個設けられている。開口１４の上縁からは下段側建材の上辺を係止する第１係止部２０と上段側建材の下辺を係止する第２係止部２２とが前方へ立設されている。当て金具３０は、略長方形状の背板部３２と、この背板部３２の上辺に設けられた第１係入部３４と、下辺に設けられた第２係入部３６と、左辺に設けられたストッパ片３８と、右辺に設けられた起立片４０とを有する。当て金具３０は開口１４に装着され、ストッパ片３８が建材の側面に当接される。【選択図】  図１
2004332450.tif 000002
【特許請求の範囲】
【請求項１】
壁面に対し板状の建材を取り付けるための取付金具であって、
壁面に取り付けられるベース部、下段側の建材の上辺を係止する第１係止部及び上段側の建材の下辺を係止する第２係止部を有する取付金具本体と、
該取付金具本体とは別体であり、該建材の側面に当接するストッパ片を有した建材の横移動防止用の当て金具と、
を備えてなる建材の取付金具であって、
該取付金具本体は、建材の水平方向辺に沿って２５０〜５００ｍｍ延在する長さを有しており、
該取付金具本体は建材の上辺又は下辺に沿って２５０〜５００ｍｍ延在する長手方向長さを有しており、
該取付金具本体には、該当て金具を横移動不能に係着させる係着部が長手方向に複数個設けられていることを特徴とする建材の取付金具。
【請求項２】
請求項１において、該係着部は該取付金具本体に設けられた開口よりなることを特徴とする建材の取付金具。
【請求項３】
請求項２において、該開口は該取付金具本体の下辺に沿って配列されていることを特徴とする建材の取付金具。
【請求項４】
請求項２又は３において、前記当て金具は該開口に入り込む係入部を有しており、
該係入部の左端から右端までの距離は該開口の左右幅とほぼ等しいことを特徴とする建材の取付金具。
【請求項５】
請求項４において、該係入部は、該開口の縁部を弾性的に挟持するものであることを特徴とする建材の取付金具。
【請求項６】
請求項１ないし５のいずれか１項において、前記当て金具のストッパ片は、該当て金具の左右の一端側に設けられており、
該当て金具は、上下反転させても取付金具本体に係着可能に構成されていることを特徴とする建材の取付金具。
【請求項７】
請求項１ないし６のいずれか１項において、
当て金具は、該取付金具本体に取り付けられたときに該取付金具本体から下方に垂下することを特徴とする建材の取付金具。
【請求項８】
壁面の柱列に対し複数枚の板状の建材を取付金具によって取り付けた建材の取付構造において、少なくとも一部の該建材同士の縦継目が柱同士のスパン間に位置しており、
この縦継目に跨がって請求項１ないし８のいずれか１項に記載の取付金具が配置され、該取付金具の取付金具本体が柱に留め付けられ、該取付金具の当て金具のストッパ片が建材同士の縦継目間に差し込まれていることを特徴とする建材の取付構造。
【発明の詳細な説明】
【０００１】
【発明の属する技術分野】
本発明は建材の取付金具及びそれを用いて建材を壁面に取り付けた構造に関するものである。詳しくは、壁面に対し複数の板状建材を上下に多段に取り付ける場合に採用される取付金具と、この取付金具を用いた建材の取付構造とに関するものである。さらに詳しくは、この取付金具が建材の横ずれ防止機構を備えたものに関する。
【０００２】
【従来の技術】
板状の建材を建築物の外壁等の壁面に対し、上下に多段に且つ水平左右方向に並列させて取付施工する場合、建材の上辺及び下辺を金具で支承することが多い。この金具として、下段側の建材の上辺と上段側の建材の下辺とをそれぞれ係止する第１係止部及び第２係止部を有し、釘又はビスによって壁面に固定されるものが用いられている。
【０００３】
第６図はかかる取付金具の従来の一例（特開平８−１２０８９４号）を示す斜視図である。この取付金具（同号公報では接合金具と指称している）８０は、基台８２と、該基台８２上に立設される幹板部８４と、該幹板部８４の上縁から両側に延設される枝板部８５Ａ，８５Ｂとからなる。８８Ａはビス穴、８８Ｂは釘穴である。この枝板部８５Ａによって下段側の建築板の上辺を支承し、枝板部８６Ｂによって上段側の建築板の下辺を支承する。
【０００４】
ところで、このように板状建材（建築板）の上辺と下辺とを支承した場合、強風、地震、振動その他の外力が加えられたときに、建材が横ずれするおそれがある。この横ずれを防止するために、上記の特開平８−１２０８９４号においては、第６図の通り、基台８２の一側縁から係止板８７を前方に突設している。
【０００５】
ところで、従来、取付金具を用いて建材を柱に取付施工する場合、第４図の通り、建材５０同士の縦継目Ｊが柱５２の胴縁５４の前方に来る場合、通常の取付金具６０にて建材を柱に留め付けることができる。なお、第４図において、柱５２の前面に胴縁５４が釘留めされ、この胴縁５４の前面に防水シート５６が張られ、板状建材５０が下段側から順次に取付施工される。この建材の上辺には雄実５０ａが設けられ、下辺には雌実５０ｂが設けられている。
【０００６】
下段側の建材５０の雄実５０ａに取付金具６０を係合させ、この取付金具６０を釘又はビスにより胴縁５４に留め付ける。次いで、下段側建材５０の雄実５０ａに上段側建材５０の雌実５０ｂを係合させると共に、この雌実５０ｂを取付金具６０に係合させる。以下、この手順を繰り返すことにより、建材で仕上げされた壁面が構築される。
【０００７】
ところが、建材の左右寸法が柱スパンの整数倍でない場合などには、建材同士の縦継目が柱同士のスパン間に来ることになり、この場合には、前記第４，６図の取付金具６０，８０では縦継目を挟んで隣り合う建材を跨ぐことができず、両建材の出入りに差が生じることになる。
【０００８】
かかる短所を克服するものとして、特開平１１−６２１７０号には、第５図の通り、柱同士のスパン間に位置する縦継目Ｊを跨ぐように長さ２００ｍｍ程度のアルミ押出成形品よりなるレール状部材７０を建材５０，５０の実部に係合させることが記載されている。このレール状部材７０によれば、双方の建材５０，５０の出入りを揃えることが可能となる。
【０００９】
また、同様の目的を企図するものとして、特開２０００−２９１２２５号には、柱同士の間に長尺レール状の取付金具を架け渡し、縦継目の位置の如何に拘らず建材を留め付けることができる留付金具及び建材留付工法が記載されている。
【００１０】
【特許文献１】
特開平８−１２０８９４号公報
【特許文献２】
特開平１１−６２１７０号公報
【特許文献３】
特開２０００−２９１２２５号公報
【００１１】
【発明が解決しようとする課題】
上記特開平１１−６２１７０号公報及び特開２０００−２９１２２５号公報では、建材の横ズレを防止することができない。上記特開平８−１２０８９４号公報を参照し、特開２０００−２９１２２５号公報の長尺留付金具に係止板（ストッパ片）を突設することも考えられるが、この場合、建材同士の縦継目位置が丁度このストッパ片に重ならない限りは採用できず、実用性に乏しい。
【００１２】
本発明は、上記従来の問題点を解決し、建材同士の縦継目が柱スパン間に位置する場合であっても両建材に跨がって配置され、しかも該建材の横ズレを防止することができる建材の取付金具及び取付構造を提供することを目的とする。
【００１３】
【課題を解決するための手段】
本発明の建材の取付金具は、壁面に対し板状の建材を取り付けるための取付金具であって、壁面に取り付けられるベース部、下段側の建材の上辺を係止する第１係止部及び上段側の建材の下辺を係止する第２係止部を有する取付金具本体と、該取付金具本体とは別体であり、該建材の側面に当接するストッパ片を有した建材の横移動防止用の当て金具と、を備えてなる建材の取付金具であって、該取付金具本体は、建材の水平方向辺に沿って２５０〜５００ｍｍ延在する長さを有しており、該取付金具本体は建材の上辺又は下辺に沿って２５０〜５００ｍｍ延在する長手方向長さを有しており、該取付金具本体には、該当て金具を横移動可能に係着させる係着部が長手方向に複数個設けられていることを特徴とするものである。
【００１４】
また、本発明の建材の取付構造は、壁面の柱列に対し複数枚の板状の建材を取付金具によって取り付けた建材の取付構造において、少なくとも一部の該建材同士の縦継目が柱同士のスパン間に位置しており、この縦継目に跨がって請求項１ないし８のいずれか１項に記載の取付金具が配置され、該取付金具の取付金具本体が柱に留め付けられ、該取付金具の当て金具のストッパ片が建材同士の縦継目間に差し込まれていることを特徴とするものである。
【００１５】
かかる本発明の建材の取付金具及び取付構造にあっては、取付金具本体が２５０〜５００ｍｍの長さを有している。吾国の建築構造では、柱・間柱（スタッド）間隔は最大でも５００ｍｍである。従って、建材同士の縦継目が柱からずれたとしても、このずれ幅は、最寄りの柱から２５０ｍｍ以下となる。従って、本発明の取付金具によると、建材同士の縦継目が如何なる位置にあっても、縦継目を跨ぐように取付金具本体を配置できる。
【００１６】
本発明の取付金具には、ストッパ片付きの当て金具が取付位置を変え得るように装着されているので、縦継目位置に合わせて当て金具の位置を調節し、ストッパ片を建材同士の縦継目に差し込んでその横ズレを防止することができる。
【００１７】
この係着部としては開口が好適である。
【００１８】
この開口は、例えば取付金具本体の下辺に沿って配列される。当て金具は、この開口の縁部を挟持するように開口に入り込む係入部分を有することが好ましい。この場合、係入部分の左端から右端までの距離を開口の左右幅とほぼ等しくすることにより、当て金具の横ズレが防止される。
【００１９】
この当て金具にはストッパ片を左端又は右端に設け、当て金具を上下反転させても取付金具本体に係着可能とすることが好ましい。これにより、当て金具を上下反転させた場合、ストッパ片を左右反対側に配置させることが可能となる。
【００２０】
【発明の実施の形態】
以下、図面を参照して実施の形態について説明する。
【００２１】
第１図は実施の形態に係る取付金具の上方からの斜視図、第２図はこの取付金具の下方からの斜視図、第３図はこの取付金具を用いた建材取付構造を示す縦断面図であり、第１図のＩＩＩ−ＩＩＩ線断面を示している。
【００２２】
なお、第１図では取付金具本体に装着された当て金具と、これから取付金具本体に装着される当て金具との双方を図示しているが、実際には１個の取付金具本体に１個の当て金具が装着される。
【００２３】
この取付金具１は、取付金具本体１０と当て金具３０とからなる。取付金具本体１０は、長さが２５０〜５００ｍｍ好ましくは３００〜５００ｍｍの横長部材である。この取付金具本体１０の上半側は後方に後退している。この取付金具本体１０の上縁に沿ってビス孔１２が複数個所定間隔（例えば５〜３０ｍｍ）をおいて設けられている。
【００２４】
取付金具本体１０の下半側には、当て金具３０の係着用開口１４が複数個設けられている。
【００２５】
この開口１４は、取付金具本体の下辺に沿って複数個設けられている。１個の開口１４の左右幅は３０〜８０ｍｍ程度が好ましい。
【００２６】
取付金具本体１０の最下端は、後方へ立設された底片１６となっている。開口１８は取付金具本体１０の最下辺にまで達しており、該底片１６の前縁は開口１４に露出している。取付金具本体１０の左右両サイドには、後方へ向ってサイド片１８が立設されている。この底片１６及びサイド片１８の後端と、取付金具本体１０の上部裏面とは同一面上に位置するよう構成されている。
【００２７】
開口１４の上縁からは切り起しにより下段側建材の上辺を係止する第１係止部２０と上段側建材の下辺を係止する第２係止部２２とが前方へ立設されている。第１係止部２０は前方に向って斜め下り勾配となっており、第２係止部２２は前方に向って斜め上り勾配となっている。
【００２８】
当て金具３０は、略長方形状の背板部３２と、この背板部３２の上辺に設けられた第１係入部３４と、下辺に設けられた第２係入部３６と、第１図の左辺に設けられたストッパ片３８と、第１図の右辺に設けられた起立片４０とを有する。このストッパ片３８の起立高さは起立片４０よりも高いものとなっている。また、この背板部３２には開口４２が設けられ、この開口４２の上縁からは脚片部４４（第３図）が後方に向って切り起されている。
【００２９】
各係入部３４，３６は略Ｕ字形断面形状であり、開口１４に差し込まれて底片１６を挟持可能となっている。各係入部３４，３６の左右幅は開口１４の左右幅よりもごくわずか（例えば１０ｍｍ以下、好ましくは１〜５ｍｍ程度）小さなものとなっている。なお、各係入部３４，３６の左右両端からはそれぞれ突片４６が前方に向って突設されている。左右の突片４６，４６は、相互の間隔が前方ほど拡大するものとなっており、係入部３４又は３６を開口１４に差し込んだ際に突片４６，４６が開口１４の両サイドに弾性的に当接し、当て金具３０の横ズレを防止しうるようになっている。
【００３０】
なお、第１〜３図のように第１係入部３４を開口１４に差し込んで底片１６を挟持すると、当て金具３０は取付金具本体１０の下側に吊支された状態となる。この場合、ストッパ片３８は当て金具３０の左サイドに位置する。
【００３１】
図示はしないが、当て金具３０を上下反転させ、第２係入部３６を開口１４に差し込んで底片１６を挟持すると、ストッパ片３８は当て金具３０の右サイドに位置する。
【００３２】
この取付金具本体１０及び当て金具３０よりなる取付金具１を用いた建材の取付構造について第３図を参照して説明する。
【００３３】
柱と間柱がスパン４５５ｍｍにて立設されており、建材５０が柱に沿って下段側から順次に取り付け施工される。この取り付け手順は、取付金具として本発明のものを用いること以外は従来と同様である。なお、第１図では建材５０及び防水シート５６の図示が省略されている。これらの建材５０及び防水シート５６の構成は第４，５図と同様である。
【００３４】
取付金具本体１０の第１係止部２０が下段側建材５０の上辺の雄実５０ａに係合され、当て金具３０のストッパ片３８が該建材の側面に当接される。この取付金具本体がビスによって柱５２又は間柱前面の胴縁５４に対しビス留めされる。このビスは、ビス孔１２を通して胴縁５４に螺じ込まれる。
【００３５】
当て金具３０は、そのストッパ片３８が建材の側端面に当接すると予想される位置に配置されるように予め取付金具本体１０の開口１４に装着しておき、この当て金具のストッパ片３８が建材の側面に当接するように取付金具本体１０を雄実に係合させてもよい。また、当て金具３０を外してある取付金具本体１０を建材５０の雄実５０ａに係合させた後、取付金具本体１０の開口１４に当て金具３０を装着し、次いで取付金具本体１０を若干左右にスライドさせてストッパ片３８を建材の側端面に当接してもよい。
【００３６】
次いで、この建材５０に水平に隣接する建材５０を施工する。下段側のすべての建材５０の施工が終了した後、上段側の建材５０の施工を行う。この場合、上段側の建材５０の下辺の雌実５０ｂを第２係止部２２に係合させる。上段側の建材５０の上辺は、上記と同様にして柱又は間柱の胴縁５４に留め付けられる。
【００３７】
なお、建材同士の縦継目が柱又は間柱に重なるときには、前記第４，６図等の従来の取付金具を用いれば足りる。この従来の取付金具も、建材の横ズレ防止用のストッパ片を有するものが好ましい。
【００３８】
上記のように、この実施の形態では２５０〜５００ｍｍと長尺の取付金具本体を用いているので、建材５０の縦継目Ｊが柱、間柱の胴縁５４から外れていても左右に隣接する建材５０を面出入りを揃えて取付施工することができる。しかも、取付金具１の当て金具のストッパ片により、建材の横ズレも防止される。
【００３９】
この実施の形態では、当て金具３０の係入部３４又は３６を開口１４に差し込んで底片１６を挟持することにより当て金具３０を取付金具本体１０に係着させるので、当て金具３０の着脱が容易である。
【００４０】
また、開口１４を複数個設け、開口１４同士の間隔を比較的小さくし、しかも当て金具３０を上下反転させてストッパ片３８の左右位置を入れ替えることができるようにしているので、ストッパ片３８を建材の側面に当接させ易い。
【００４１】
また、この当て金具３０は、取付金具本体１０の下側に垂下するように取り付けられるので、ストッパ片３８が建材の側面に確実に当接する。
【００４２】
上記実施の形態は本発明の一例であり、本発明は図示以外の形態をもとりうる。
【００４３】
上記実施の形態では、木柱、間柱に建材が取付施工されているが、鉄骨に取付施工されてもよい。
【００４４】
【発明の効果】
以上の通り、本発明によると、建材同士の縦継目が柱や鉄骨の胴縁から外れた場合であっても建材を取付施工でき、また建材の横ズレを防止することが可能となる。
【図面の簡単な説明】
【図１】本発明の実施の形態に係る建材の取付金具の上方からの斜視図である。
【図２】図１の取付金具の下方からの斜視図である。
【図３】図１のＩＩＩ−ＩＩＩ線に沿う断面図である。
【図４】従来例を示す斜視図である。
【図５】従来例を示す斜視図である。
【図６】従来の取付金具を示す斜視図である。
【符号の説明】
１  取付金具
１０  取付金具本体
１４  開口
１６  底片
２０  第１係止部
２２  第２係止部
３０  当て金具
３４  第１係入部
３６  第２係入部
３８  ストッパ片
【図１】
2004332450.tif 000003
【図２】
2004332450.tif 000004
【図３】
2004332450.tif 000005
【図４】
2004332450.tif 000006
【図５】
2004332450.tif 000007
【図６】
2004332450.tif 000008